【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
第１及び第２の合成画像をユーザの両眼に対してそれぞれ表示する第１及び第２の表示手段を備える情報処理装置であって、
前記第１及び第２の表示手段の位置を移動させる移動手段と、
前記第１及び第２の表示手段の移動量を検出する検出手段と、
第１及び第２の撮像画像をそれぞれ取得する第１及び第２の撮像手段と、
前記移動量と対応付けられた切出し範囲で、前記第１及び第２の撮像画像からそれぞれ一部を切り出して第１及び第２の切出し画像を生成する切出手段と、
前記第１及び第２の切出し画像に、第１及び第２のＣＧ画像をそれぞれ合成して前記第１及び第２の合成画像を生成する合成画像生成手段と、
を備えることを特徴とする情報処理装置。
【請求項２】
前記移動手段は、
少なくとも２つのガイド部材と、
前記ガイド部材の１つに沿って設けられたネジ機構と、
前記ネジ機構と連結されたつまみ部と、を備え、
前記つまみ部の回転に応じて、前記第１及び第２の表示手段の位置を前記ガイド部材に沿って前記ネジ機構により移動させることを特徴とする請求項１に記載の情報処理装置。
【請求項３】
前記ネジ機構は、前記第１及び第２の表示手段のそれぞれに対応する位置で逆向きにネジが切られており、
前記移動手段は、相互に離間する方向または接近する方向へ前記第１及び第２の表示手段を移動させることを特徴とする請求項２に記載の情報処理装置。
【請求項４】
ユーザのそれぞれの眼の画像を表示する第１及び第２の表示手段の相対位置を移動させる移動手段と、
前記第１及び第２の表示手段の相対的な移動量を検出する検出手段と、
第１の撮像手段により撮像された第１の撮像画像と、第２の撮像手段により撮像された第２の撮像画像とをそれぞれ取得する取得手段と、
前記検出手段により検出された前記第１及び第２の表示手段の移動量に基づいて、切出し範囲を判定する判定手段と、
前記判定手段により判定された前記切出し範囲で、前記第１及び第２の撮像画像からそれぞれ一部を切り出して第１及び第２の切出し画像を生成する切出手段と、
前記第１及び第２の切出し画像に、第１及び第２のＣＧ画像をそれぞれ合成して第１及び第２の合成画像を生成する合成画像生成手段と、
を備えることを特徴とする情報処理装置。
【請求項５】
前記移動手段は、
少なくとも２つのガイド部材と、
前記ガイド部材の１つに沿って設けられたネジ機構と、
前記ネジ機構と連結されたつまみ部と、を備え、
前記つまみ部の回転に応じて、前記第１及び第２の表示手段の位置を前記ガイド部材に沿って前記ネジ機構により移動させることを特徴とする請求項４に記載の情報処理装置。
【請求項６】
前記ネジ機構は、前記第１及び第２の表示手段のそれぞれに対応する位置で逆向きにネジが切られており、
前記移動手段は、相互に離間する方向または接近する方向へ前記第１及び第２の表示手段を移動させることを特徴とする請求項５に記載の情報処理装置。
【請求項７】
前記第１及び第２の表示手段をさらに備えることを特徴とする請求項４乃至６の何れか１項に記載の情報処理装置。
【請求項８】
前記第１及び第２の撮像手段をさらに備えることを特徴とする請求項４乃至７の何れか１項に記載の情報処理装置。
【請求項９】
前記移動手段は、前記第１及び第２の表示手段を相互に異なる方向に移動させることを特徴とする請求項４乃至８の何れか１項に記載の情報処理装置。
【請求項１０】
前記移動量は、前記第１及び第２の表示手段の位置を移動させる前記移動手段によりもたらされることを特徴とする請求項４乃至９の何れか１項に記載の情報処理装置。
【請求項１１】
前記第１及び第２の撮像手段の間の距離は固定されていることを特徴とする請求項４乃至１０の何れか１項に記載の情報処理装置。
【請求項１２】
前記第１及び第２の撮像手段の位置は固定されていることを特徴とする請求項４乃至１１の何れか１項に記載の情報処理装置。
【請求項１３】
ユーザのそれぞれの眼の画像を表示する第１及び第２の表示手段の相対位置を移動させる移動手段と、
前記第１及び第２の表示手段の相対的な移動量を検出する検出手段と、
第１及び第２の撮像画像をそれぞれ撮像する第１及び第２の撮像手段と、
前記検出手段により検出された前記第１及び第２の表示手段の移動量に基づいて、切出し範囲を判定する判定手段と、
前記判定手段により判定された前記切出し範囲で、前記第１及び第２の撮像画像からそれぞれ一部を切り出して第１及び第２の切出し画像を生成する切出手段と、
前記第１及び第２の切出し画像に、第１及び第２のＣＧ画像をそれぞれ合成して第１及び第２の合成画像を生成する合成画像生成手段とを備え、
前記第１及び第２の表示手段は、前記第１及び第２の合成画像をそれぞれ表示することを特徴とする情報処理装置。
【請求項１４】
前記移動量は、前記第１及び第２の表示手段の位置を移動させる前記移動手段によりもたらされることを特徴とする請求項１３に記載の情報処理装置。
【請求項１５】
前記第１及び第２の撮像手段の間の距離は固定されていることを特徴とする請求項１３または１４に記載の情報処理装置。
【請求項１６】
前記第１及び第２の撮像手段の位置は固定されていることを特徴とする請求項１３乃至１５の何れか１項に記載の情報処理装置。
【請求項１７】
情報処理装置の制御方法であって、
移動手段が、ユーザのそれぞれの眼の画像を表示する第１及び第２の表示手段の相対位置を移動させる移動工程と、
検出手段が、前記第１及び第２の表示手段の相対的な移動量を検出する検出工程と、
取得手段が、第１の撮像手段により撮像された第１の撮像画像と、第２の撮像手段により撮像された第２の撮像画像とをそれぞれ取得する取得工程と、
判定手段が、前記検出工程により検出された前記第１及び第２の表示手段の移動量に基づいて、切出し範囲を判定する判定工程と、
切出手段が、前記判定工程により判定された前記切出し範囲で、前記第１及び第２の撮像画像からそれぞれ一部を切り出して第１及び第２の切出し画像を生成する切出工程と、
合成画像生成手段が、前記第１及び第２の切出し画像に、第１及び第２のＣＧ画像をそれぞれ合成して第１及び第２の合成画像を生成する合成画像生成工程と、
を有することを特徴とする情報処理装置の制御方法。
【請求項１８】
請求項１７に記載の情報処理装置の制御方法の各工程をコンピュータに実行させるためのプログラム。
【請求項１９】
情報処理装置の制御方法であって、
移動手段が、ユーザのそれぞれの眼の画像を表示する第１及び第２の表示手段の相対位置を移動させる移動工程と、
検出手段が、前記第１及び第２の表示手段の相対的な移動量を検出する検出工程と、
第１及び第２の撮像手段が、第１及び第２の撮像画像をそれぞれ撮像する第１及び第２の撮像工程と、
判定手段が、前記検出工程により検出された前記第１及び第２の表示手段の移動量に基づいて、切出し範囲を判定する判定工程と、
切出手段が、前記判定工程により判定された前記切出し範囲で、前記第１及び第２の撮像画像からそれぞれ一部を切り出して第１及び第２の切出し画像を生成する切出工程と、
合成画像生成手段が、前記第１及び第２の切出し画像に、第１及び第２のＣＧ画像をそれぞれ合成して第１及び第２の合成画像を生成する合成画像生成工程とを有し、
前記第１及び第２の表示手段には、前記第１及び第２の合成画像がそれぞれ表示されることを特徴とする情報処理装置の制御方法。
【請求項２０】
請求項１９に記載の情報処理装置の制御方法の各工程をコンピュータに実行させるためのプログラム。
【手続補正２】
【補正対象書類名】明細書
【補正対象項目名】発明の名称
【補正方法】変更
【補正の内容】
【発明の名称】情報処理装置、情報処理装置の制御方法、およびプログラム